【手続補正書】
【提出日】平成18年6月26日(2006.6.26)
【手続補正１】
【補正対象書類名】明細書
【補正対象項目名】特許請求の範囲
【補正方法】変更
【補正の内容】
【特許請求の範囲】
【請求項１】
ファクシミリ装置から送信される画像信号と、前記画像信号の送り先を特定する情報とを受信するファクシミリ受信手段と、
追加用のコンテンツとして広告用画像データを記憶する追加データ記憶手段と、
前記記憶する広告用画像データを追加して含め、受信した画像信号を添付ファイルとして、前記受信した送り先を特定する情報に基づいて、電子メールの送り先を取得し、前記画像信号を送信したファクシミリ装置の送信局の識別番号から電子メールのヘッダを生成し、前記取得した送り先宛に前記生成されたヘッダを用いた電子メールを作成する電子メール作成手段と、
前記電子メールを外部のネットワークに送出するネットワーク接続手段とを備えることを特徴とする電子メール送信システム。
【請求項２】
電子メール作成手段は、ファクシミリ受信手段が受信した画像信号の画像のページ数の情報から電子メールのヘッダを生成する手段を備えることを特徴とする請求項1項に記載の電子メール送信システム。
【請求項３】
電子メール作成手段は、ファクシミリ受信手段が受信終了した日付と時刻の情報から電子メールのヘッダを生成する手段を備えることを特徴とする請求項１又は２記載の電子メール送信システム。
【請求項４】
ファクシミリの画像信号を受信するメインサーバと、受信した画像信号を添付ファイルとして電子メールを作成するリモートサーバと、作成された電子メールを送信するメール送信サーバとをイーサネットで接続する電子メール送信システムであって、
前記メインサーバが、ファクシミリ装置から送出される、画像の送り先に固有の番号の情報を格納する主記憶部と、追加用のコンテンツとしての広告画像データを予め記憶し、画像信号が示す画像のページ数を記憶すると共に、電子メールの送り先として登録されているクライアントに固有の番号とクライアントのアドレスとを対応付けて格納するクライアントデータベースを記憶する外部記憶部と、ファクシミリ装置から送出される、画像の送り先に固有の番号の情報を取得して前記主記憶部に出力し、前記クライアントデータベースから前記固有の番号の情報に対応するクライアントのアドレスを読み出し、ファクシミリ受信キューに格納し、前記記憶する広告画像データと受信した画像信号を前記リモートサーバに出力し、画像信号が示す画像のページ数の情報を前記ファクシミリ受信キューに格納する制御部とを備え、
前記リモートサーバが、前記メインサーバから入力された広告画像データと画像信号を格納する外部記憶部と、前記メインサーバのファクシミリ受信キューから画像信号が示す画像のページ数の情報と前記固有の番号の情報に対応するクライアントのアドレスを読み出し、画像のページ数の情報と前記画像信号を送信したファクシミリ装置の送信局の識別番号から電子メールのヘッダを生成し、前記広告用画像データを追加して含め、前記画像信号を添付ファイルに変換し、前記生成されたヘッダを用いて前記読み出したクライアントのアドレスに電子メールを作成して、当該電子メールと前記添付ファイルをメール送信サーバに送信する制御部とを備え、
前記メール送信サーバが、前記イーサネットを介して前記リモートサーバから受信した電子メール及び添付ファイルをＳＭＴＰに従ってネットワークに送出する制御部を備えることを特徴とする電子メール送信システム。
【請求項５】
広告用画像データを、音声又は動画形式のデータとすることを特徴とする請求項１乃至４のいずれか記載の電子メール送信システム。
【請求項６】
請求項１乃至５のいずれか記載の電子メール送信システムで送信された電子メールを受信した受信端末は、電子メールの文面を表示する際に、添付されるファイルを判別して、広告用画像データが含まれている場合には、当該広告用画像データが示す広告画像を最初に表示し、前記広告画像の表示終了指示によって画像信号の添付ファイルが示す画像を表示することを特徴とする受信端末。
【請求項７】
複数のファクシミリ装置から送信された文書をサーバが受信し、電子メールに変換して電子メール受信端末に送信する電子メール送信方法であって、
ファクシミリ装置から宛先と送信対象の文書が前記サーバに送信され、
前記サーバは、各ファクシミリ装置から送信されてきた文書と、追加用のコンテンツとしての広告用画像データを電子メールに変換し、変換により得られた電子メールを、ファクシミリ装置から指示された宛先が示す電子メール受信端末に送信し、
前記電子メール受信端末では、前記サーバから受信した電子メールに追加用のコンテンツの広告用画像データが含まれているとき、当該追加用のコンテンツが表示出力され、次いで、当該電子メールが表す前記文書が表示されることを特徴とする電子メール送信方法。
【請求項８】
広告用画像データを、音声又は動画形式のデータとすることを特徴とする請求項７記載の電子メール送信方法。
【手続補正２】
【補正対象書類名】明細書
【補正対象項目名】０００９
【補正方法】変更
【補正の内容】
【０００９】
【課題を解決するための手段】
上記目的を達成するため、本発明は、電子メール送信システムにおいて、ファクシミリ装置から送信される画像信号と、画像信号の送り先を特定する情報とを受信するファクシミリ受信手段と、追加用のコンテンツとして広告用画像データを記憶する追加データ記憶手段と、記憶する広告用画像データを追加して含め、受信した画像信号を添付ファイルとして、受信した送り先を特定する情報に基づいて、電子メールの送り先を取得し、画像信号を送信したファクシミリ装置の送信局の識別番号から電子メールのヘッダを生成し、取得した送り先宛に生成されたヘッダを用いた電子メールを作成する電子メール作成手段と、電子メールを外部のネットワークに送出するネットワーク接続手段とを備えることを特徴としており、ファクシミリ装置から送信された画像信号を電子メールの添付ファイルとして送信する際に、広告用画像データを追加して送信できる。
【手続補正３】
【補正対象書類名】明細書
【補正対象項目名】００１０
【補正方法】変更
【補正の内容】
【００１０】
本発明は、上記電子メール送信システムにおいて、電子メール作成手段は、ファクシミリ受信手段が受信した画像信号の画像のページ数の情報から電子メールのヘッダを生成する手段を備えることを特徴とする。
【手続補正４】
【補正対象書類名】明細書
【補正対象項目名】００１１
【補正方法】変更
【補正の内容】
【００１１】
本発明は、上記電子メール送信システムにおいて、電子メール作成手段は、ファクシミリ受信手段が受信終了した日付と時刻の情報から電子メールのヘッダを生成する手段を備えることを特徴とする。
【手続補正５】
【補正対象書類名】明細書
【補正対象項目名】００１２
【補正方法】変更
【補正の内容】
【００１２】
本発明は、電子メール送信システムにおいて、ファクシミリの画像信号を受信するメインサーバと、受信した画像信号を添付ファイルとして電子メールを作成するリモートサーバと、作成された電子メールを送信するメール送信サーバとをイーサネットで接続する電子メール送信システムであって、メインサーバが、ファクシミリ装置から送出される、画像の送り先に固有の番号の情報を格納する主記憶部と、追加用のコンテンツとしての広告画像データを予め記憶し、画像信号が示す画像のページ数を記憶すると共に、電子メールの送り先として登録されているクライアントに固有の番号とクライアントのアドレスとを対応付けて格納するクライアントデータベースを記憶する外部記憶部と、ファクシミリ装置から送出される、画像の送り先に固有の番号の情報を取得して主記憶部に出力し、クライアントデータベースから固有の番号の情報に対応するクライアントのアドレスを読み出し、ファクシミリ受信キューに格納し、記憶する広告画像データと受信した画像信号をリモートサーバに出力し、画像信号が示す画像のページ数の情報をファクシミリ受信キューに格納する制御部とを備え、リモートサーバが、メインサーバから入力された広告画像データと画像信号を格納する外部記憶部と、メインサーバのファクシミリ受信キューから画像信号が示す画像のページ数の情報と固有の番号の情報に対応するクライアントのアドレスを読み出し、画像のページ数の情報と画像信号を送信したファクシミリ装置の送信局の識別番号から電子メールのヘッダを生成し、広告用画像データを追加して含め、画像信号を添付ファイルに変換し、生成されたヘッダを用いて読み出したクライアントのアドレスに電子メールを作成して、当該電子メールと添付ファイルをメール送信サーバに送信する制御部とを備え、メール送信サーバが、イーサネットを介してリモートサーバから受信した電子メール及び添付ファイルをＳＭＴＰに従ってネットワークに送出する制御部を備えることを特徴としており、ファクシミリ装置から送信された画像信号を電子メールの添付ファイルとして送信する際に、広告用画像データを追加して送信できる。
【手続補正６】
【補正対象書類名】明細書
【補正対象項目名】００１３
【補正方法】変更
【補正の内容】
【００１３】
本発明は、上記電子メール送信システムにおいて、広告用画像データを、音声又は動画形式のデータとすることを特徴とする。
【手続補正７】
【補正対象書類名】明細書
【補正対象項目名】００１４
【補正方法】変更
【補正の内容】
【００１４】
本発明は、受信端末において、上記電子メール送信システムで送信された電子メールを受信し、電子メールの文面を表示する際に、添付されるファイルを判別して、広告用画像データが含まれている場合には、当該広告用画像データが示す広告画像を最初に表示し、広告画像の表示終了指示によって画像信号の添付ファイルが示す画像を表示することを特徴としており、ファクシミリ装置から送信された画像信号を電子メールの添付ファイルとして表示する際に、広告用画像データを先に表示できる。
【手続補正８】
【補正対象書類名】明細書
【補正対象項目名】００１５
【補正方法】変更
【補正の内容】
【００１５】
本発明は、複数のファクシミリ装置から送信された文書をサーバが受信し、電子メールに変換して電子メール受信端末に送信する電子メール送信方法であって、ファクシミリ装置から宛先と送信対象の文書がサーバに送信され、サーバは、各ファクシミリ装置から送信されてきた文書と、追加用のコンテンツとしての広告用画像データを電子メールに変換し、変換により得られた電子メールを、ファクシミリ装置から指示された宛先が示す電子メール受信端末に送信し、電子メール受信端末では、サーバから受信した電子メールに追加用のコンテンツの広告用画像データが含まれているとき、当該追加用のコンテンツが表示出力され、次いで、当該電子メールが表す文書が表示されることを特徴としており、ファクシミリ装置から送信された画像信号を電子メールの添付ファイルとして送信する際に、広告用画像データを追加して送信でき、電子メール受信端末で受信した画像信号を表示する際に、広告用画像データを先に表示できる。
【手続補正９】
【補正対象書類名】明細書
【補正対象項目名】００１６
【補正方法】変更
【補正の内容】
【００１６】
本発明は、上記電子メール送信方法において、広告用画像データを、音声又は動画形式のデータとすることを特徴とする。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】